(57)【要約】  光ディスク情報装置は、波長λの光束を出射するレーザー光源と、開口数ＮＡの対物レンズと、分割素子と、光検出器と、中央部増幅器と、少なくとも２つの端部増幅器と、加算器と、集光スポットが走査するトラックがランド部であるか又はグルーブ部であるかに応じてトラッキング制御信号の極性を反転するトラッキング切替器を有する制御信号処理部と、トラッキング制御信号の極性が反転されたときに、中央部増幅器及び前記端部増幅器のゲインを切替えるとともに、光ディスクの隣接トラックからのクロストークが低減するように、中央部増幅器のゲインを端部増幅器の少なくとも一つのゲインより実質的に低く設定する利得制御器とを備え、前記光ディスクの溝間隔をＧｐとしたとき、（Ｇｐ／２）＜（１．２・λ）／（２・ＮＡ）を満たす。
2013179673.tif 000002
【特許請求の範囲】
【請求項１】
溝状のトラックを有し、溝のランド部及びグルーブ部に情報を記録可能な光ディスクに対して情報を再生及び／又は記録する光ディスク情報装置であって、
波長λの光束を出射するレーザー光源と、
前記レーザー光源から出射された光束を集光して前記光ディスク上に集光スポットを形成する開口数ＮＡの対物レンズと、
中央部領域と、前記中央部領域を挟む少なくとも２つの端部領域とを有し、前記光ディスクで反射回折した反射光を前記中央部領域の光束及び前記端部領域の光束に分割する分割素子と、
前記中央部領域の光束を受光する中央部受光部と、前記端部領域の光束を受光する少なくとも２つの端部受光部とを有し、受光した各光束の光量に応じた光量信号を出力する光検出器と、
前記中央部受光部からの光量信号を受けて所定のゲインで増幅された中央部増幅信号を出力する中央部増幅器と、
前記端部受光部からの光量信号を受けて所定のゲインで増幅された端部増幅信号を出力する少なくとも２つの端部増幅器と、
前記中央部増幅器及び前記端部増幅器のゲインを制御する利得制御器と、
前記中央部増幅器からの中央部増幅信号及び前記端部増幅器からの端部増幅信号を加算して情報信号を出力する加算器と、
前記情報信号を処理して再生信号を出力する再生信号処理部と、
前記光ディスクで反射回折した反射光を受光してフォーカシング制御信号及びトラッキング制御信号を作成する制御信号処理部とを備え、
前記制御信号処理部は、前記集光スポットが走査するトラックが前記ランド部であるか又は前記グルーブ部であるかに応じて前記トラッキング制御信号の極性を反転するトラッキング切替器を含み、
前記利得制御器は、前記トラッキング制御信号の極性が反転されたときに、前記中央部増幅器及び前記端部増幅器のゲインを切替えるとともに、前記光ディスクの隣接トラックからのクロストークが低減するように、前記中央部増幅器のゲインを前記端部増幅器の少なくとも一つのゲインより実質的に低く設定し、
前記光ディスクの溝間隔をＧｐとしたとき、（Ｇｐ／２）＜（１．２・λ）／（２・ＮＡ）を満たすことを特徴とする光ディスク情報装置。
【請求項２】
前記分割素子は、前記光ディスクのラジアル方向に対応した方向に３分割され、前記中央部領域と、２つの前記端部領域とを有することを特徴とする請求項１に記載の光ディスク情報装置。
【請求項３】
前記分割素子は、前記光ディスクのラジアル方向に対応した方向に７分割され、前記分割素子の中央に位置する第１の中央部領域と、前記第１の中央部領域を挟む２つの第１の端部領域と、前記２つの第１の端部領域を挟む２つの第２の中央部領域と、前記２つの第２の中央部領域を挟む２つの第２の端部領域とを有し、
前記中央部受光部は、前記第１及び第２の中央部領域の３つの光束を受光し、受光した３つの光束の光量に応じた光量信号を出力し、
前記端部受光部の一方は、前記第１及び第２の端部領域の一方側の２つの光束を受光し、受光した２つの光束の光量に応じた光量信号を出力し、
前記端部受光部の他方は、前記第１及び第２の端部領域の他方側の２つの光束を受光し、受光した２つの光束の光量に応じた光量信号を出力することを特徴とする請求項１に記載の光ディスク情報装置。
【請求項４】
前記分割素子は、前記光ディスクのラジアル方向に対応した方向に３分割され、前記分割素子の中央に位置する略十字形状の中央部領域と、前記中央部領域を挟む略Ｃ字形状の２つの端部領域とを有することを特徴とする請求項１に記載の光ディスク情報装置。
【請求項５】
前記分割素子は、前記光ディスクのラジアル方向に対応した方向に３分割され、前記分割素子の中央に位置する略Ｈ字形状の中央部領域と、前記中央部領域を挟む略Ｔ字形状の２つの端部領域とを有することを特徴とする請求項１に記載の光ディスク情報装置。
【請求項６】
前記分割素子は、前記光ディスクのラジアル方向に対応した方向に３分割され、前記中央部領域と２つの前記端部領域とを有し、
前記中央部領域は、前記光ディスクのタンジェンシャル方向に対応した方向に３分割され、中心部領域と、前記中心部領域を挟む２つの中央端部領域とを有し、
前記光検出器は、前記中心部領域の光束を受光する中心部受光部と、前記２つの中央端部領域の光束を受光する２つの中央端部受光部と、前記２つの端部領域の光束を受光する２つの端部受光部とを有し、受光した各光束の光量に応じた光量信号を出力し、
前記中央部増幅器は、前記中心部受光部からの光量信号を受けて所定のゲインで増幅された中央部増幅信号を出力し、
前記端部増幅器は、
前記２つの端部受光部からの光量信号を受けて所定のゲインで増幅された端部増幅信号を出力する２つの第１の端部増幅器と、
前記２つの中央端部受光部からの光量信号を受けて所定のゲインで増幅された中央端部増幅信号を出力する２つの第２の端部増幅器とを含み、
前記加算器は、前記中央部増幅器、前記第１及び第２の端部増幅器からの増幅信号を加算して情報信号を出力し、
前記利得制御器は、前記トラッキング制御信号の極性が反転されたときに、前記中央部増幅器、前記第１及び第２の端部増幅器のゲインを切替えるとともに、前記光ディスクの隣接トラックからのクロストークが低減するように、前記中央部増幅器のゲインを前記第１及び第２の端部増幅器の少なくとも一つのゲインより実質的に低く設定することを特徴とする請求項１に記載の光ディスク情報装置。
【請求項７】
前記分割素子の前記中央部領域の前記光ディスクのラジアル方向に対応した方向の幅は、光束の幅の３５％以上であることを特徴とする請求項１〜６のいずれかに記載の光ディスク情報装置。
【請求項８】
前記利得制御器は、前記集光スポットが走査するトラックが前記ランド部であるか又は前記グルーブ部であるかに応じて前記中央部増幅器及び前記端部増幅器に異なるゲインを設定することを特徴とする請求項１〜７のいずれかに記載の光ディスク情報装置。
【請求項９】
前記利得制御器は、互いに異なるランド部用ゲイン初期値及びグルーブ部用ゲイン初期値を予め記憶しており、前記トラッキング制御信号の極性が反転されたときに、前記集光スポットが走査するトラックが前記ランド部である場合は、前記中央部増幅器及び前記端部増幅器に前記ランド部用ゲイン初期値を設定し、前記集光スポットが走査するトラックが前記グルーブ部である場合は、前記中央部増幅器及び前記端部増幅器に前記グルーブ部用ゲイン初期値を設定することを特徴とする請求項１〜８のいずれかに記載の光ディスク情報装置。
【請求項１０】
前記利得制御器は、前記光ディスクのトラックピッチに応じて前記中央部増幅器及び前記端部増幅器に異なるゲインを設定することを特徴とする請求項１〜９のいずれかに記載の光ディスク情報装置。
【請求項１１】
前記再生信号処理部は、前記再生信号の評価値を生成し、
前記利得制御器は、前記再生信号の評価値に応じて前記中央部増幅器及び前記端部増幅器のゲインを設定することを特徴とする請求項１〜１０のいずれかに記載の光ディスク情報装置。
【請求項１２】
前記光ディスクのラジアル方向のチルト量を検出するチルト検出器をさらに備え、
前記利得制御器は、前記チルト検出器に検出されたチルト量に応じて前記中央部増幅器及び前記端部増幅器のゲインを設定することを特徴とする請求項１〜１１のいずれかに記載の光ディスク情報装置。
【請求項１３】
前記制御信号処理部は、前記光ディスクのトラックに対する集光スポットのオフトラック量を検出し、
前記利得制御器は、前記オフトラック量に応じて前記中央部増幅器及び前記端部増幅器のゲインを設定することを特徴とする請求項１〜１２のいずれかに記載の光ディスク情報装置。
【請求項１４】
前記光ディスクのトラックに対する前記対物レンズのレンズシフト量を検出するレンズシフト検出器をさらに備え、
前記利得制御器は、前記レンズシフト検出器に検出されたレンズシフト量に応じて前記中央部増幅器及び前記端部増幅器のゲインを設定することを特徴とする請求項１〜１３のいずれかに記載の光ディスク情報装置。
【請求項１５】
請求項１〜１４のいずれかに記載の光ディスク情報装置と、
前記光ディスク情報装置に記録する情報及び／又は前記光ディスク情報装置から再生された情報を処理する情報処理部とを備えることを特徴とする情報処理装置。
【発明の詳細な説明】
【技術分野】
【０００１】
本発明は、光ディスクに対して情報を再生及び／又は記録する光ディスク情報装置、該光ディスク情報装置を用いた、コンピュータ、サーバ、光ディスクプレーヤ及び光ディスクレコーダ等の情報処理装置に関するものである。
【背景技術】
【０００２】
従来の光ディスクとして、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）やＢＤ（Ｂｌｕ−ｒａｙ（登録商標）  Ｄｉｓｃ）が広く一般的に知られているが、近年では、さらに記録密度を向上することが望まれている。高密度記録再生を可能とする光ディスク情報装置を実現するためには、光ディスクのトラックピッチを縮小するか又は線方向の密度を向上する必要がある。【０００３】
上記のように、光ディスク情報装置の記録密度向上を図るためには、光ディスクのトラックピッチを狭めることが有効である。【０００４】
しかしながら、トラックピッチを狭めると、走査トラックの隣接トラックに記録された信号が再生信号に付加されてノイズとなってしまうクロストークが増大するという問題があった。【０００５】
そこで、この問題を解決するための従来の光ディスク情報装置としては、特許文献１に記載されているように、１ビーム光学系において、トラック直交方向に３分割された受光素子の出力を中央部の信号Ｃ、右部の信号Ｒ、左部の信号Ｌとして、Ｓ＝Ｋ・Ｃ＋Ｒ＋Ｌ（ここで、Ｋは定数）の演算補正により、クロストークをキャンセルするものがある。【０００６】
しかしながら、従来の構成すなわち特許文献１の光ディスク情報装置では、記録密度を向上するためにトラックピッチを小さくしていくと、回折限界によりトラッキングエラー信号が得られなくなってしまう。すなわち、トラック間隔を小さくすると、トラックを形成する案内溝の溝間隔も狭められ、この溝間隔が光ビームの回折限界（＝λ／（２・ＮＡ）、ここで、ＮＡは開口数）より小さくなると、対物レンズへの戻り光量は変化しなくなり、案内溝からトラッキングエラー信号を取り出すことはできなくなる。また、溝間隔が回折限界より大きくても、その差が小さい場合には、戻り光量の変化は非常に小さいものとなり、やはり十分なトラッキングエラー信号を得ることはできない。【０００７】
例えば、特許文献１の図９に記載されているシミュレーション及び実験での条件は、波長が７８０ｎｍ、対物レンズのＮＡが０．５、トラックピッチＴｐが０．８μｍである。この条件では、光ビームの回折限界は０．７８μｍとなり、トラックピッチはほぼ回折限界に達しており、クロストークは低減されるが、トラッキングエラー信号が得られず、情報信号を再生することができない。【０００８】
情報信号の再生に支障のない範囲で十分なトラッキングエラー信号を得るためには、トラックピッチＴｐは、以下の式を満たす必要がある。【０００９】
Ｔｐ＞１．２・（回折限界）＝１．２・（λ／（２・ＮＡ））【００１０】
ところが、例えば、現在市販されている高密度光ディスクであるＢＤでは、波長が略０．４０５μｍ、対物レンズのＮＡが略０．８５、トラックピッチが略０．３２μｍとなっている。これをさらに高密度化するために、トラックピッチを小さくすることを考えた場合、Ｔｐ＞０．２９μｍとなり、これによって得られる高密度化の倍率は、１．２倍程度となり、効果としては小さくなる。また、トラックピッチＴｐの縮小度合いからクロストークの増加量も小さく、クロストークキャンセラを導入する効果は非常に小さい。【００１１】
したがって、実質的に意味のあるクロストークキャンセル効果が得られる領域では、十分なトラッキングエラー信号を得ることができず、本来の目的である高密度化に対して矛盾した構成となっていた。
【先行技術文献】
【特許文献】
【００１２】
【特許文献１】特開平５−２４２５１２号公報
【発明の概要】
【００１３】
本発明は、前記従来の課題を解決するもので、現実的なトラッキングエラー信号が得られる系でクロストークを低減し、トラック方向の記録密度を高めることを可能とした光ディスク情報装置を提供することを目的とする。
【００１４】
本発明の一局面に従う光ディスク情報装置は、溝状のトラックを有し、溝のランド部及びグルーブ部に情報を記録可能な光ディスクに対して情報を再生及び／又は記録する光ディスク情報装置であって、波長λの光束を出射するレーザー光源と、前記レーザー光源から出射された光束を集光して前記光ディスク上に集光スポットを形成する開口数ＮＡの対物レンズと、中央部領域と、前記中央部領域を挟む少なくとも２つの端部領域とを有し、前記光ディスクで反射回折した反射光を前記中央部領域の光束及び前記端部領域の光束に分割する分割素子と、前記中央部領域の光束を受光する中央部受光部と、前記端部領域の光束を受光する少なくとも２つの端部受光部とを有し、受光した各光束の光量に応じた光量信号を出力する光検出器と、前記中央部受光部からの光量信号を受けて所定のゲインで増幅された中央部増幅信号を出力する中央部増幅器と、前記端部受光部からの光量信号を受けて所定のゲインで増幅された端部増幅信号を出力する少なくとも２つの端部増幅器と、前記中央部増幅器及び前記端部増幅器のゲインを制御する利得制御器と、前記中央部増幅器からの中央部増幅信号及び前記端部増幅器からの端部増幅信号を加算して情報信号を出力する加算器と、前記情報信号を処理して再生信号を出力する再生信号処理部と、前記光ディスクで反射回折した反射光を受光してフォーカシング制御信号及びトラッキング制御信号を作成する制御信号処理部とを備え、前記制御信号処理部は、前記集光スポットが走査するトラックが前記ランド部であるか又は前記グルーブ部であるかに応じて前記トラッキング制御信号の極性を反転するトラッキング切替器を含み、前記利得制御器は、前記トラッキング制御信号の極性が反転されたときに、前記中央部増幅器及び前記端部増幅器のゲインを切替えるとともに、前記光ディスクの隣接トラックからのクロストークが低減するように、前記中央部増幅器のゲインを前記端部増幅器の少なくとも一つのゲインより実質的に低く設定し、前記光ディスクの溝間隔をＧｐとしたとき、（Ｇｐ／２）＜（１．２・λ）／（２・ＮＡ）を満たす。
【００１５】
本構成によって、現実的なトラッキングエラー信号が得られる系でクロストークを低減し、トラック方向の記録密度を高めることを可能とする光ディスク情報装置を実現することができる。
【図面の簡単な説明】
【００１６】
【図１】本発明の実施の形態１における光ディスク情報装置の構成を示す概略図
【図２】本発明の実施の形態１における光ディスク情報装置に用いられる光ディスクの溝構造を示す模式図
【図３】本発明の実施の形態１における光ディスク情報装置の分割素子の分割構成を示す模式図
【図４】本発明の実施の形態１における光ディスク情報装置の中央部領域の幅が３０％のときのクロストーク量の計算結果を示す図
【図５】本発明の実施の形態１における光ディスク情報装置の中央部領域の幅が５０％のときのクロストーク量の計算結果を示す図
【図６】本発明の実施の形態１における光ディスク情報装置の中央部領域の幅が７０％のときのクロストーク量の計算結果を示す図
【図７】本発明の実施の形態１における光ディスク情報装置の中央部領域の幅に対する各種ノイズを考慮したｉＭＬＳＥの計算結果を示す図
【図８】本発明の実施の形態１における光ディスク情報装置のチルト発生時のｉＭＬＳＥの計算結果を示す図
【図９】本発明の実施の形態１における光ディスク情報装置のレンズシフト発生時の受光部の出力の計算結果を示す図
【図１０】本発明の実施の形態１における光ディスク情報装置のレンズシフト発生時のｉＭＬＳＥの計算結果を示す図
【図１１】本発明の実施の形態１における光ディスク情報装置のオフトラック発生時のｉＭＬＳＥの計算結果を示す図
【図１２】本発明の実施の形態１における光ディスク情報装置のランド部用ゲイン初期値及びグルーブ部用ゲイン初期値を用いたデジタルフィルタの周波数特性の一例を示す図
【図１３】本発明の実施の形態２における光ディスク情報装置の構成を示す概略図
【図１４】本発明の実施の形態２における光ディスク情報装置の分割素子の分割構成を示す模式図
【図１５】本発明の実施の形態３における光ディスク情報装置の構成を示す概略図
【図１６】本発明の実施の形態３における光ディスク情報装置の分割素子の分割構成を示す模式図
【図１７】本発明の実施の形態３における光ディスク情報装置に用いられる他の分割素子の分割構成を示す模式図
【図１８】本発明の実施の形態３における光ディスク情報装置に用いられるさらに他の分割素子の分割構成を示す模式図
【図１９】本発明の実施の形態３における光ディスク情報装置に用いられるさらに他の分割素子の分割構成を示す模式図
【図２０】本発明の実施の形態４における光ディスク情報装置の構成を示す概略図
【図２１】本発明の実施の形態４における光ディスク情報装置の分割素子の分割構成を示す模式図
【図２２】本発明の実施の形態５におけるコンピュータの斜視図
【図２３】本発明の実施の形態６における光ディスクプレーヤの斜視図
【図２４】本発明の実施の形態７における光ディスクレコーダの斜視図
【発明を実施するための形態】
【００１７】
以下、本発明の各実施の形態について、図面を参照しながら説明する。 
【００１８】
（実施の形態１）
図１は、本発明の実施の形態１における光ディスク情報装置の構成を示す概略図であり、図２は、本発明の実施の形態１における光ディスク情報装置に用いられる光ディスクの溝構造を示す模式図であり、図３は、本発明の実施の形態１における光ディスク情報装置の分割素子の分割構造を示す模式図である。
【００１９】
図１において、光ディスク情報装置は、青色半導体レーザユニット１、対物レンズ３、レーザーミラー４、ビームスプリッタ５、分割素子６、光検出器７、利得制御器８、増幅器８ｃ、８ｒ、８ｌ、加算器９、再生信号処理部１０、制御信号処理部１１、対物レンズアクチュエータ１２、チルト検出器１４、レンズシフト検出器１５、スピンドルモータ２０、及びターンテーブル２１を備える。制御信号処理部１１は、制御信号生成部１１ａ、及びトラッキング切替器１１ｂを含む。分割素子６は、中央部領域６ｃ及び２つの端部領域６ｒ、６ｌを有する。光検出器７は、３つの受光部７ｃ、７ｒ、７ｌを有する。
【００２０】
また、分割素子６、光検出器７、利得制御器８、増幅器８ｃ、８ｒ、８ｌ、及び加算器９等から、光ディスク２の隣接トラックからのクロストークをキャンセルするクロストークキャンセラが構成されている。なお、利得制御器及び増幅器の構成は、図示の例に特に限定されず、例えば、利得制御器と、少なくとも３つの増幅器とを備える利得可変増幅回路を用いてもよい。
【００２１】
青色半導体レーザユニット１は、波長λの光束を出射するレーザー光源であり、青色半導体レーザユニット１から出射される光の波長λは、４００ｎｍ〜４１５ｎｍの波長である。例えば、本実施の形態では、青色半導体レーザユニット１は、略４０５ｎｍの波長の光ビーム（光束）を出射するように構成されている。
【００２２】
光ディスク２は、ターンテーブル２１上に装着され、スピンドルモータ２０がターンテーブル２１を回転させることにより、光ディスク２が回転される。また、図２に示すように、光ディスク２は、溝状のトラックＴｒを有し、溝のランド部Ｌとグルーブ部Ｇとに情報を記録可能となっており、溝間隔をＧｐとしたとき、下記式を満たしている。
【００２３】
（Ｇｐ／２）＜（１．２・λ）／（２・ＮＡ）
【００２４】
本実施の形態では、例えば、溝間隔Ｇｐ＝０．４８μｍであり、Ｇｐ／２すなわちトラックピッチＴｐ＝０．２４μｍとなっており、Ｇｐ／２は、（１．２・λ）／（２・ＮＡ）＝（１．２×０．４０５）／（２×０．８５）＝０．２８６μｍを下回っている。
【００２５】
再び、図１を参照して、対物レンズ３は、青色半導体レーザユニット１から出射された光束を集光して光ディスク２上に集光スポットを形成する開口数ＮＡの対物レンズである。例えば、本実施の形態では、略４０５ｎｍの波長の光ビームを開口数ＮＡ０．８５で集光するように、対物レンズ３を構成している。
【００２６】
ここで、光ディスク２のトラックピッチＴｐをＢＤのトラックピッチの０．３２μｍに対して０．２４μｍに縮小しているので、記録密度としては約１．８倍の高密度化を見込める。
【００２７】
青色半導体レーザユニット１から出射された光ビームは、レーザーミラー４で反射して対物レンズ３に向かう。対物レンズ３で絞られた青色の光ビームは、光ディスク２の情報記録面上の、例えば、グルーブ部Ｇ（又はランド部Ｌ）上に集光されて照射される。
【００２８】
そして、光ディスク２の情報記録面上で反射回折した反射光は、往路と同様に対物レンズ３を透過し、レーザーミラー４及びビームスプリッタ５を透過して分割素子６に至る。分割素子６は、ガラス面上に微細な溝が形成されて回折格子として動作するように製作された回折素子である。
【００２９】
図３に示すように、分割素子６は、例えば、円板形状を有し、光ディスク２のラジアル方向Ｒに対応した方向（光ディスク２のタンジェンシャル方向Ｔと直交する方向）に沿って３分割されて、中央部領域６ｃと、中央部領域６ｃを挟む２つの端部領域６ｒ、６ｌとに分けられている。各々の領域を透過した光ビームは、各領域の回折格子により異なる方向に分離される。本実施の形態では、例えば、分割素子６のラジアル方向Ｒの中央部領域６ｃの幅ｗを、光ビームの直径の約７０％としている。
【００３０】
その後、分離された光ビームは、光検出器７の異なる３つの受光部７ｃ、７ｒ、７ｌに各々入射される。すなわち、中央部領域６ｃを透過した光ビームは、光検出器７の受光部７ｃ（中央部受光部）に、端部領域６ｒを透過した光ビームは、受光部７ｒ（端部受光部）に、端部領域６ｌを透過した光ビームは、受光部７ｌ（端部受光部）に、各々入射する。
【００３１】
光検出器７は、各受光部７ｃ、７ｒ、７ｌで受光した光量に応じた光量信号を各々出力し、各光量信号は、増幅器８ｃ（中央部増幅器）及び増幅器８ｒ、８ｌ（端部増幅器）に各々入力される。増幅器８ｃ、８ｒ、８ｌは、ゲインを可変できる利得可変増幅器であり、利得制御器８は、各増幅器８ｃ、８ｒ、８ｌのゲインを制御する。すなわち、増幅器８ｃ、８ｒ、８ｌのゲインは、利得制御器８によって最適なゲインＫｃ、Ｋｒ、Ｋｌに設定されており、各光量信号は、最適なゲインＫｃ、Ｋｒ、Ｋｌで増幅された後、加算器９に入力される。
【００３２】
加算器９は、最適なゲインＫｃ、Ｋｒ、Ｋｌで増幅された光量信号を加算して情報信号を出力する。再生信号処理部１０は、情報信号を処理して再生信号ＲＦを出力する。この結果、加算器９から出力される情報信号では、隣接トラックからのクロストークが抑制されてエラーレートが低減されているので、再生信号処理部１０によって高精度な再生信号ＲＦが再生される。
【００３３】
また、再生信号処理部１０は、再生信号ＲＦの評価値を生成して利得制御器８に供給する。本実施の形態では、評価値として、例えば、ｉＭＬＳＥ（Ｉｎｔｅｇｒａｔｅｄ−Ｍａｘｉｍｕｍ  Ｌｉｋｅｌｉｈｏｏｄ  Ｓｅｑｕｅｎｃｅ  Ｅｓｔｉｍａｔｉｏｎ）を生成するものとする。ｉＭＬＳＥは、２値化された再生信号の品質の評価指標として用いられ、エラーレート相関の評価値である。
【００３４】
利得制御器８は、クロストークキャンセラの係数を最適化するために、上記のｉＭＬＳＥを指標として、増幅器８ｃ、８ｒ、８ｌのゲインＫｃ、Ｋｒ、Ｋｌを制御する。具体的には、利得制御器８は、再生信号処理部１０で生成されるｉＭＬＳＥの値が最小となるように、ゲインＫｃ、Ｋｒ、Ｋｌの値を決定する。例えば、利得制御器８は、ゲインＫｃ、Ｋｒ、Ｋｌの値を変えてｉＭＬＳＥの値の計算を繰り返し、ｉＭＬＳＥの値が最小となるゲインＫｃ、Ｋｒ、Ｋｌの値を選択する。
【００３５】
ここで、クロストークキャンセルの効果は、各増幅器８ｃ、８ｒ、８ｌに与えるゲインＫｃ、Ｋｒ、Ｋｌの比率によって決まるので、計算の簡単化のため、利得制御器８は、ゲインＫｃ＝1とし、ゲインＫｒ、Ｋｌの値を決定する。なお、ゲインＫｃ、Ｋｒ、Ｋｌの値は、ＤＣ値であっても効果があるが、周波数特性を有するデジタルフィルタのタップ係数として与えると、より高い効果を得ることができる。
【００３６】
一方、制御信号処理部１１の制御信号生成部１１ａは、ビームスプリッタ５によって反射された光ビームを受光してフォーカシングエラー信号及びトラッキングエラー信号を検出し、フォーカシングエラー信号及びトラッキングエラー信号からフォーカシング制御信号ＦｏＣ及びトラッキング制御信号ＴｒＣを生成する。フォーカシング制御信号ＦｏＣ及びトラッキング制御信号ＴｒＣは、対物レンズアクチュエータ１２に出力され、対物レンズ３のフォーカシング動作及びトラッキング動作が行われる。本実施の形態では、トラックピッチＴｐは０．２４μｍであり、光ビームの回折限界を下回るが、溝間隔Ｇｐは０．４８μｍであり、十分な振幅のトラッキングエラー信号を得ることができる。
【００３７】
制御信号処理部１１は、トラッキング切替器１１ｂを具備しており、トラッキング切替器１１ｂは、制御信号生成部１１ａが生成したトラッキング制御信号ＴｒＣを利得制御器８へ出力する。このとき、トラッキング切替器１１ｂは、集光スポットが走査するトラックが光ディスク２のランド部Ｌであるか又はグルーブ部Ｇであるかに応じて、トラッキング制御信号ＴｒＣの極性を反転する。
【００３８】
また、利得制御器８は、トラッキング切替器１１ｂからトラッキング制御信号の極性切替のタイミング情報と、集光スポットが走査するトラックがランド部Ｌであるか又はグルーブ部Ｇであるかを特定する情報とを得ることによって、ランド部Ｌとグルーブ部Ｇとの切替わりに合わせて増幅器８ｃ、８ｌ、８ｒに設定するゲインの組合せを切り替えることが可能になる。具体的には、利得制御器８は、トラッキング制御信号の極性が反転されたときに、増幅器８ｃ、８ｌ、８ｒのゲインを切替えるとともに、光ディスク２の隣接トラックからのクロストークが低減するように、増幅器８ｃのゲインを増幅器８ｌ、８ｒの少なくとも一つのゲインより実質的に低く設定する。
【００３９】
したがって、ランド部Ｌとグルーブ部Ｇとで反射率が異なるが、本実施の形態では、走査トラックがランド部Ｌであるか又はグルーブ部Ｇであるかによって、走査トラックと隣接トラックとの関係が反転し、クロストークキャンセラの効果がなくなってしまうことなく、隣接トラックからの信号の漏れ込みを抑制してエラーレートを低減することができ、高精度な情報信号の記録再生を実現することができる。
【００４０】
図４〜図６は、本発明の実施の形態１における光ディスク情報装置によるクロストーク量の計算結果を示す図である。図４は、中央部領域６ｃの幅ｗが３０％の場合、図５は、中央部領域６ｃの幅ｗが５０％の場合、図６は、中央部領域６ｃの幅ｗが７０％の場合である。各々縦軸は、クロストーク量であって、走査トラックにＢＤ規格における８Ｔ信号を与えた場合の再生信号の振幅をＳ、走査トラックの両側に隣接する６トラックにＢＤ規格における２Ｔ、３Ｔ、４Ｔ、８Ｔの信号をランダムな配列で与えた場合の走査トラックへのクロストーク信号の標準偏差をＳｃとしたとき、クロストーク量＝Ｓｃ／Ｓ（％）と定義した。
【００４１】
また、横軸は、利得制御器８により、増幅器８ｃで与えられるゲインＫｃを１としたとき、増幅器８ｒ、８ｌで与えられるゲインＫｒ、Ｋｌの倍率を表している。ここでは、Ｋｒ＝Ｋｌとしている。
【００４２】
同様の計算をＢＤの条件で行った場合、すなわち、Ｔｐ＝０．３２μｍ、λ＝０．４０５μｍ、ＮＡ＝０．８５で、クロストークキャンセラを適用しないで、上記のクロストーク量を計算すると、この場合のクロストーク量は、０．７４％であり、この値を図中に破線で示している。
【００４３】
また、ゲインＫｒ、Ｋｌの倍率を１とすると、クロストークキャンセラは無効となり、この場合のクロストーク量は、３．４％となっている。これに対して、ゲインＫｒ、Ｋｌの倍率として最適な値を選択することにより、クロストーク量を、中央部領域６ｃの幅ｗ５０％の場合に１．２％、中央部領域６ｃの幅ｗが７０％の場合に１．１％まで低減することができており、十分なクロストークキャンセル効果が得られることがわかる。
【００４４】
上記のように、図４〜図６では、縦軸をクロストーク量としており、クロストークのみをキャンセルする効果を評価している。しかしながら、実際の再生信号には、クロストークノイズの他に、メディアノイズ、レーザーノイズ、および増幅器８ｃ、８ｒ、８ｌによるアンプノイズが含まれている。特に、増幅器８ｒ、８ｌのアンプノイズは、Ｋｒ倍、Ｋｌ倍されるため、端部領域６ｒ、６ｌの面積が小さいほど、すなわち、中央部領域６ｃの面積が大きいほど、アンプノイズに対しては不利となる。
【００４５】
図７は、中央部領域６ｃの幅ｗに対する各種ノイズを考慮したｉＭＬＳＥの計算結果を示す図である。図７において、各中央部領域６ｃの幅ｗに対するｉＭＬＳＥの値は、ゲインＫｃを１とし、最適なゲインＫｌ、Ｋｒを与えて算出した値である。
【００４６】
同様の計算をＢＤの条件で行った場合、すなわち、Ｔｐ＝０．３２μｍ、λ＝０．４０５μｍ、ＮＡ＝０．８５で、クロストークキャンセラを適用しないで、ｉＭＬＳＥを計算すると、この場合のｉＭＬＳＥの値は、１１．０％であり、この値を図中に破線で示している。
【００４７】
これに対して、本実施形態１の条件、すなわち、Ｔｐ＝０．２４μｍ、λ＝０．４０５μｍ、ＮＡ＝０．８５で、クロストークキャンセラを適用した場合は、図７に示すように、中央部領域６ｃの幅ｗが６０％までは、ｉＭＬＳＥの値が低下するが、６０％以上では、ｉＭＬＳＥの値が上昇して再生信号の品質が劣化していく。このように、クロストークキャンセラを用いることによって、中央部領域６ｃの幅ｗが３５％〜７０％の間では、ＢＤでのｉＭＬＳＥの値を下回ることが可能となる。
【００４８】
本実施の形態では、中央部領域６ｃの幅ｗを７０％としたが、図７からわかるように、中央部領域６ｃの幅ｗが３５％以上あれば、十分良好な再生信号の品質を得ることができる。すなわち、分割素子６のラジアル方向Ｒの中央部領域６ｃの幅ｗは、光束の幅の３５％以上であることが好ましく、光束の幅の５０％以上であることがより好ましい。一方、中央部領域６ｃの面積が大きくなり、端部領域６ｒ、６ｌの面積が小さくなりすぎると、アンプノイズに対しては不利となるため、分割素子６のラジアル方向Ｒの中央部領域６ｃの幅ｗは、７０％以下であることが好ましい。
【００４９】
上記の範囲では、光ディスク２の隣接トラックからのクロストークを十分に低減することができるとともに、十分良好な再生信号の品質を得ることができる。なお、上記の光束の幅（光ビームの直径）は、例えば、対物レンズ３とレーザーミラー４との間に配置されているアパーチャ（図示省略）の開口部の直径を基準として用いることができる。
【００５０】
次に、光ディスク２が傾斜して、対物レンズ３の光軸に対してチルトが発生している場合について説明する。
【００５１】
光ディスク２が傾斜して、対物レンズ３の光軸に対してチルトが発生している場合、発生しているチルト量が、チルト検出器１４によって検出される。その値は、利得制御器８に与えられ、利得制御器８は、チルト量に応じて最適なゲインＫｃ、Ｋｒ、Ｋｌを増幅器８ｃ、８ｒ、８ｌに設定し、各光量信号は、最適なゲインＫｃ、Ｋｒ、Ｋｌで増幅された後、加算器９に入力される。この結果、加算器９から出力される情報信号は、隣接トラックからのクロストークが抑制されてエラーレートが低減され、再生信号処理部１０は、高精度な再生信号ＲＦを再生することができる。
【００５２】
チルト検出器１４としては、例えば、反射型フォトリフレクタを用いることができるが、その他に、あらかじめ光ディスク２の所定の半径位置でフォーカシング動作を行い、対物レンズアクチュエータ１２のフォーカスオフセット量から光ディスク２の傾斜を推定する方法があり、この方法では、センサー等の部品を追加せずに、チルト検出器１４の機能を実現することができる。
【００５３】
図８は、本発明の実施の形態１における光ディスク情報装置のチルト発生時のｉＭＬＳＥの計算結果を示す図である。
【００５４】
図８において、縦軸は、図７と同様に計算したｉＭＬＳＥの値であり、横軸は、ラジアルチルト量である。
【００５５】
また、一点鎖線であらわした曲線は、ＢＤの条件（Ｔｐ＝０．３２μｍ、λ＝０．４０５μｍ、ＮＡ＝０．８５）で、クロストークキャンセラ非適用での計算結果、破線であらわした曲線は、本実施の形態の条件（Ｔｐ＝０．２４μｍ、λ＝０．４０５μｍ、ＮＡ＝０．８５）で、クロストークキャンセラ非適用の場合の計算結果、実線であらわした曲線は、本実施の形態の条件（Ｔｐ＝０．２４μｍ、λ＝０．４０５μｍ、ＮＡ＝０．８５）で、クロストークキャンセラを適用した場合の計算結果である。
【００５６】
図８に示すように、トラックピッチを０．３２μｍから０．２４μｍに縮小することにより、各チルト量に対して一点鎖線のグラフ値から破線のグラフ値にｉＭＬＳＥの値が増大しているが、本実施の形態では、クロストークキャンセラを適用することにより、実線のグラフ値までｉＭＬＳＥの値を低減することができており、十分なクロストークキャンセル効果が得られることがわかる。この計算では、ゲインＫｃ＝1とし、各チルト量に応じて最適なゲインＫｒ、Ｋｌの倍率を選択して与えた。
【００５７】
なお、チルト量に応じたゲインＫｃ、Ｋｒ、Ｋｌの制御方法としては、上記の例に特に限定されず、その他の方法として、チルト量が０ｄｅｇの状態において最適なゲインＫｃ、Ｋｒ、Ｋｌの倍率を選択し、各チルト量に応じたゲインＫｃ、Ｋｒ、Ｋｌの最適化はしないで、クロストークキャンセルを行うという方法でもよい。この場合、クロストークキャンセルの精度は低下するが、再生には十分なクロストークキャンセル効果は確保され、構成が簡素であるので、応答速度を早くすることができる。なお、チルト量に応じたゲインＫｃ、Ｋｒ、Ｋｌの制御を行わない場合、チルト検出器１４を省略することができる。
【００５８】
次に、対物レンズ３が光ディスク２の走査トラックに対してずれるレンズシフトが発生している場合について説明する。
【００５９】
対物レンズ３が走査トラックに対してレンズシフトを発生している場合、発生しているレンズシフト量は、レンズシフト検出器１５によって検出される。レンズシフト検出器１５は、光検出器７の受光部７ｌ、７ｒの出力を受け取り、その差分を演算して適切な倍率で増幅することにより算出した信号を、レンズシフト量として利得制御器８へ出力する。
【００６０】
図９は、本発明の実施の形態１における光ディスク情報装置のレンズシフト発生時の受光部７ｌ、７ｒの出力の計算結果を示す図である。
【００６１】
図９において、縦軸は、受光部７ｌ、７ｒの出力、横軸は、レンズシフト量である。本実施の形態の条件（Ｔｐ＝０．２４μｍ、λ＝０．４０５μｍ、ＮＡ＝０．８５）において、一点鎖線であらわした曲線は、受光部７ｌの出力、二点鎖線であらわした曲線は、受光部７ｒの出力、実線であらわした直線は、受光部７ｌの出力と受光部７ｒの出力との差分である。図９から、受光部７ｌ、７ｒの出力の差分は、レンズシフト量に対して十分な直線性を示しており、レンズシフト検出器１５は、光ディスク２の走査トラックに対する対物レンズ３のレンズシフト量を検出するレンズシフト検出器として十分利用できることがわかる。
【００６２】
本実施の形態では、レンズシフトの検出方法として、光検出器７の受光部７ｌ、７ｒの出力を得て、その差分からレンズシフト量を演算して出力するレンズシフト検出器１５を用いたが、この例に特に限定されず、例えば、対物レンズアクチュエータ１２のトラッキング制御信号ＴｒＣをモニタして、そのＤＣ成分からレンズシフト量を推定する方法でもよい。
【００６３】
レンズシフト検出器１５が検出したレンズシフト量を利得制御器８に入力することにより、利得制御器８は、レンズシフト量に応じて最適なゲインＫｃ、Ｋｒ、Ｋｌを増幅器８ｃ、８ｒ、８ｌに設定し、各光量信号は、最適なゲインＫｃ、Ｋｒ、Ｋｌで増幅された後、加算器９に入力される。この結果、加算器９から出力される情報信号は、隣接トラックからのクロストークが抑制されてエラーレートが低減され、再生信号処理部１０は、高精度な再生信号ＲＦを再生することができる。
【００６４】
図１０は、本発明の実施の形態１における光ディスク情報装置のレンズシフト発生時のｉＭＬＳＥの計算結果を示す図である。
【００６５】
図１０において、縦軸は、図７と同様に計算したｉＭＬＳＥの値であり、横軸は、レンズシフト量である。
【００６６】
一点鎖線であらわした直線は、ＢＤの条件（Ｔｐ＝０．３２μｍ、λ＝０．４０５μｍ、ＮＡ＝０．８５）で、クロストークキャンセラ非適用での計算結果、破線であらわした直線は、本実施の形態の条件（Ｔｐ＝０．２４μｍ、λ＝０．４０５μｍ、ＮＡ＝０．８５）で、クロストークキャンセラ非適用の場合の計算結果、実線であらわした曲線は、本実施の形態の条件（Ｔｐ＝０．２４μｍ、λ＝０．４０５μｍ、ＮＡ＝０．８５）で、クロストークキャンセラを適用した場合の計算結果である。
【００６７】
図１０に示すように、本実施の形態では、クロストークキャンセラを適用することにより、レンズシフト量が０（ｍｍ）のとき、ＢＤの条件よりｉＭＬＳＥの値がやや増大するが、レンズシフトが発生し、その量が増大すると、所定範囲までは、クロストークキャンセル効果がより発揮され、クロストークキャンセラ非適用の破線の値と比較して十分なクロストークキャンセル効果が得られることがわかる。この計算では、ゲインＫｃ＝1とし、各レンズシフト量に応じて最適なゲインＫｒ、Ｋｌの倍率を選択して与えた。
【００６８】
なお、レンズシフト量に応じたゲインＫｃ、Ｋｒ、Ｋｌの制御方法としては、上記の例に特に限定されず、その他の方法として、レンズシフト量が０ｍｍ又は±０．３ｍｍの状態において最適なゲインＫｃ、Ｋｒ、Ｋｌの倍率を選択し、各レンズシフト量に応じたＫｃ、Ｋｒ、Ｋｌの最適化はしないでクロストークキャンセルを行うという方法でもよい。この場合、クロストークキャンセル精度は低下するが、再生には十分なクロストークキャンセル効果は確保され、構成が簡素であるので応答速度を早くすることができる。なお、レンズシフト量に応じてゲインＫｃ、Ｋｒ、Ｋｌの制御を行わない場合、レンズシフト検出器１５を省略することができる。
【００６９】
次に、集光スポットが光ディスク２の走査トラックに対してずれるオフトラックが発生している場合について説明する。
【００７０】
集光スポットが走査トラックに対してオフトラックを発生している場合、発生しているオフトラック量は、制御信号処理部１１の制御信号生成部１１ａによって検出される。制御信号生成部１１ａは、トラッキングエラー信号からオフトラック量を算出し、利得制御器８へ出力する。利得制御器８は、オフトラック量に応じて最適なゲインＫｃ、Ｋｒ、Ｋｌを増幅器８ｃ、８ｒ、８ｌに設定し、各光量信号は、最適なゲインＫｃ、Ｋｒ、Ｋｌで増幅された後、加算器９に入力される。この結果、加算器９から出力される情報信号は、隣接トラックからのクロストークが抑制されてエラーレートが低減され、再生信号処理部１０は、高精度な再生信号ＲＦを再生することができる。
【００７１】
図１１は、本発明の実施の形態１における光ディスク情報装置のオフトラック発生時のｉＭＬＳＥの計算結果を示す図である。
【００７２】
図１１において、縦軸は、図７と同様に計算したｉＭＬＳＥの値であり、横軸は、オフトラック量である。
【００７３】
また、一点鎖線であらわした曲線は、ＢＤの条件（Ｔｐ＝０．３２μｍ、λ＝０．４０５μｍ、ＮＡ＝０．８５）で、クロストークキャンセラ非適用での計算結果、破線であらわした曲線は、本実施の形態の条件（Ｔｐ＝０．２４μｍ、λ＝０．４０５μｍ、ＮＡ＝０．８５）で、クロストークキャンセラ非適用の場合の計算結果、実線であらわした曲線は、本実施の形態の条件（Ｔｐ＝０．２４μｍ、λ＝０．４０５μｍ、ＮＡ＝０．８５）で、クロストークキャンセラを適用した場合の計算結果である。
【００７４】
図１１に示すように、トラックピッチを０．３２μｍから０．２４μｍに縮小することにより、各オフトラック量に対して一点鎖線のグラフ値から破線のグラフ値にｉＭＬＳＥの値が増大しているが、本実施の形態では、クロストークキャンセラを適用することにより、実線のグラフ値までｉＭＬＳＥの値を低減することができており、十分なクロストークキャンセル効果が得られることがわかる。この計算では、ゲインＫｃ＝1とし、各オフトラック量に応じて最適なゲインＫｒ、Ｋｌの倍率を選択して与えた。
【００７５】
なお、オフトラック量に応じたゲインＫｃ、Ｋｒ、Ｋｌの制御方法としては、上記の例に特に限定されず、その他の方法として、オフトラック量が０μｍの状態において最適なゲインＫｃ、Ｋｒ、Ｋｌの倍率を選択し、各オフトラック量に応じたゲインＫｃ、Ｋｒ、Ｋｌの最適化はしないで、クロストークキャンセルを行うという方法でもよい。この場合、クロストークキャンセルの精度は低下するが、再生には十分なクロストークキャンセル効果は確保され、構成が簡素であるので、応答速度を早くすることができる。
【００７６】
また、上記のチルト量に応じた制御方法、レンズシフト量に応じた制御方法、及びオフトラック量に応じた制御方法は、任意に組み合わせることができる。例えば、光ディスク２のチルト、対物レンズ３のレンズシフト及び集光スポットのオフトラックが同時に発生している場合は、チルト検出器１４から得られるチルト量、レンズシフト検出器１５から得られるレンズシフト量及び制御信号生成部１１ａから得られるオフトラック量の組合せに応じて、利得制御器８は、最適なゲインＫｃ、Ｋｒ、Ｋｌを増幅器８ｃ、８ｒ、８ｌに設定し、各光量信号は、最適なゲインＫｃ、Ｋｒ、Ｋｌで増幅された後、加算器９に入力される。この結果、加算器９から出力される情報信号は、隣接トラックからのクロストークが抑制されてエラーレートが低減され、再生信号処理部１０は、高精度な再生信号ＲＦを再生することができる。
【００７７】
ここで、光ディスク２のランド部とグルーブ部では、反射率が異なり、反射光の光ビームの位相も異なるので、走査トラックがランド部であるか又はグルーブ部であるかによって走査トラックと隣接トラックとの関係が反転し、クロストークキャンセラの効果がなくなってしまう。
【００７８】
そこで、本実施の形態では、利得制御器８は、トラッキング切替器１１ｂからトラッキング制御信号の極性切替のタイミング情報と、集光スポットが走査するトラックがランド部Ｌであるか又はグルーブ部Ｇであるかを特定する情報とを得ることによって、集光スポットが走査するトラックがランド部Ｌであるか又はグルーブ部Ｇであるかに応じて増幅器８ｃ、８ｒ、８ｌに異なるゲインＫｃ、Ｋｒ、Ｋｌを設定する。この結果、ランド部Ｌとグルーブ部Ｇとの切替わりに合わせて、利得制御器８で生成するゲインＫｃ、Ｋｒ、Ｋｌの倍率の組合せを切り替えることが可能になる。切替えられたゲインＫｃ、Ｋｒ、Ｋｌの倍率の組合せによる各々の出力が、加算器９に入力され、情報信号は、隣接トラックからのクロストークが抑制されてエラーレートが低減され、再生信号処理部１０は、高精度な再生信号ＲＦを再生することができる。
【００７９】
また、ランド部Ｌとグルーブ部Ｇとの切替わりに合わせて、製造時又は学習時等において予め取得したランド部用ゲイン初期値及びグルーブ部用ゲイン初期値をゲインＫｃ、Ｋｒ、Ｋｌとして設定するようにしてもよい。この場合、利得制御器８は、互いに異なるランド部用ゲイン初期値及びグルーブ部用ゲイン初期値を内部のメモリ（図示省略）に予め記憶し、トラッキング制御信号の極性が反転されたときに、集光スポットが走査するトラックがランド部Ｌである場合は、メモリから読み出したランド部用ゲイン初期値をゲインＫｃ、Ｋｒ、Ｋｌとして増幅器８ｃ、８ｒ、８ｌに設定し、集光スポットが走査するトラックがグルーブ部Ｇである場合は、メモリから読み出したグルーブ部用ゲイン初期値を増幅器８ｃ、８ｒ、８ｌに設定する。
【００８０】
ここで、クロストークキャンセルの効果は、各増幅器８ｃ、８ｒ、８ｌに与えるゲインＫｃ、Ｋｒ、Ｋｌの比率によって決まるので、計算の簡単化のため、利得制御器８は、ゲインＫｃ＝1とし、ゲインＫｒ、Ｋｌの値にランド部用ゲイン初期値及びグルーブ部用ゲイン初期値を設定する。なお、ゲインＫｒ、Ｋｌの値は、ＤＣ値であっても効果があるが、周波数特性を有するデジタルフィルタのタップ係数として与えると、より高い効果を得ることができる。この場合、ランド部Ｌとグルーブ部Ｇとでは、ディスクフォーマット（ランド幅とグルーブ幅との比率、溝深さ等）により、クロストーク、メディアノイズの大きさが異なるため、最適なタップ係数も異なる値となる。
【００８１】
図１２は、本発明の実施の形態１における光ディスク情報装置のランド部用ゲイン初期値及びグルーブ部用ゲイン初期値を用いたデジタルフィルタの周波数特性の一例を示す図である。図１２では、ランド部Ｌに対して最適なタップ係数によりゲインＫｒ（Ｋｒ＝Ｋｌの場合）として与えられるデジタルフィルタの周波数特性を破線で示し、グルーブ部Ｇに対して最適なタップ係数によりゲインＫｒ（Ｋｒ＝Ｋｌの場合）として与えられるデジタルフィルタの周波数特性を実線で示している。
【００８２】
利得制御器８は、上記のような周波数特性を有するデジタルフィルタとして機能するように、ランド部Ｌとグルーブ部Ｇとの切替わりに合わせて、ゲインＫｃ、Ｋｒ、Ｋｌとしてランド部用ゲイン初期値及びグルーブ部用ゲイン初期値を設定する。このように、ランド部Ｌとグルーブ部Ｇとに適用するタップ係数の初期値を、ランド部用ゲイン初期値及びグルーブ部用ゲイン初期値として予め用意し、ランド部Ｌとグルーブ部Ｇとの切り替え再生時に、これらのタップ係数から最適化計算をはじめることにより、最適化時間を短縮することができる。
【００８３】
また、本実施の形態では、光ディスク２は、溝のランド部Ｌとグルーブ部Ｇとに情報を記録する方式の光ディスクであって、溝間隔Ｇｐ＝０．４８μｍ、トラックピッチＴｐ＝０．２４μｍの光ディスクとして説明したが、溝間隔Ｇｐは、この例に特に限定されず、（Ｇｐ／２）＜λ／（２・ＮＡ）を満たせば、異なる溝間隔Ｇｐであっても、上記とほぼ同様の効果を得ることができ、また、（Ｇｐ／２）＜（１．２・λ）／（２・ＮＡ）を満たせば、異なる溝間隔Ｇｐであっても、十分に上記と同様の効果を得ることができる。
【００８４】
さらに、本実施の形態の光ディスク情報装置では、１つの装置で必ずしも単一種類の溝間隔Ｇｐの記録再生のみを行うのではなく、複数種類の異なる溝間隔の光ディスクの記録再生を互換するようにしてもよい。
【００８５】
この場合は、例えば、再生信号処理部１０が光ディスク２に予め記録されているディスク情報の中からトラックピッチＴｐの情報を抽出して利得制御器８へ出力し、利得制御器８は、光ディスク２のトラックピッチＴｐに応じて増幅器８ｃ、８ｒ、８ｌに異なるゲインＫｃ、Ｋｒ、Ｋｌを設定する。このようにして、記録再生する光ディスク２の溝間隔Ｇｐに応じて、利得制御器８で生成するゲインＫｃ、Ｋｒ、Ｋｌの倍率の組合せを切り替えることにより、異なる溝間隔の光ディスクを用いる場合でも、クロストークの抑制が可能になる。この結果、切替えられたゲインＫｃ、Ｋｒ、Ｋｌの倍率の組合せによる各々の出力が、加算器９に入力され、情報信号は、隣接トラックからのクロストークが抑制されてエラーレートが低減され、再生信号処理部１０は、高精度な再生信号ＲＦを再生することができる。
【００８６】
なお、本実施の形態では、増幅器８ｃ、８ｒ、８ｌのゲインＫｃ、Ｋｒ、Ｋｌの値として、Ｋｃ＝１（倍）、Ｋｒ＝Ｋｌとし、Ｋｒ、Ｋｌに最適化したゲインの値を与えるようにしたが、必ずしもＫｒ＝Ｋｌである必要はなく、各々に最適な値を選択すれば、より高精度にクロストークを抑制することができる。
【００８７】
（実施の形態２）
図１３は、本発明の実施の形態２における光ディスク情報装置の構成を示す概略図であり、図１４は、本発明の実施の形態２における光ディスク情報装置の分割素子の分割構成を示す模式図である。
【００８８】
図１３において、図１と同じ構成要素については、同じ符号を用い、説明を省略する。
【００８９】
図１３において、図１と異なる点は、分割素子６、光検出器７、利得制御器８、増幅器８ｃ、８ｒ、８ｌ及び加算器９に替えて、分割素子１６、光検出器１７、利得制御器１８、増幅器１８ｃ、１８ｒ１、１８ｒ２、１８ｌ１、１８ｌ２及び加算器１９を用いている点である。
【００９０】
分割素子１６は、ガラス面上に微細な溝が形成されて回折格子として動作するように製作された回折素子である。図１４に示すように、分割素子１６は、光ディスク２のラジアル方向Ｒに対応した方向に５分割されて、中央部領域１６ｃと、中央部領域１６ｃを挟む２つの端部領域１６ｒ２、１６ｌ２と、２つの端部領域１６ｒ２、１６ｌ２を挟む２つの端部領域１６ｒ１、１６ｌ１とに分けられている。各々の領域を透過した光ビームは、各領域の回折格子により異なる方向に分離される。本実施の形態では、分割素子１６のラジアル方向Ｒの各領域の幅は、光ビームの直径を１００％として、端部領域１６ｒ１の幅：端部領域１６ｒ２の幅：中央部領域１６ｃの幅：端部領域１６ｌ２の幅：端部領域１６ｌ１の幅＝１６．７％：１６．７％：３３．３％：１６．７％：１６．７％となっている。
【００９１】
なお、上記の分割領域（中央部領域１６ｃ及び端部領域１６ｒ１、１６ｒ２、１６ｌ１、１６ｌ２）の幅は、条件によって、適宜最適な値とすることは可能である。
【００９２】
分割素子１６が５分割素子であることに合わせて、光検出器１７も、５つの受光部１７ｒ１、１７ｒ２、１７ｃ、１７ｌ２、１７ｌ１を具備しており、利得制御器１８も、５種類の増幅器１８ｒ１、１８ｒ２、１８ｃ、１８ｌ２、１８ｌ１を制御し、各々にゲインＫｒ１、Ｋｒ２、Ｋｃ、Ｋｌ２、Ｋｌ１を与える。また、加算器１９は、最適なゲインＫｒ１、Ｋｒ２、Ｋｃ、Ｋｌ２、Ｋｌ１で増幅された光量信号を加算して情報信号を再生信号処理部１０へ出力する。
【００９３】
上記のように、本実施の形態では、分割素子１６を５分割素子としたことにより、隣接トラックからのクロストークをより詳細に補正することができる。
【００９４】
したがって、図１の光ディスク情報装置と同様の効果が得られることに加えて、加算器１９から出力される情報信号では、より詳細にクロストークが抑制されてエラーレートがより低減されているので、再生信号処理部１０は、より高精度な再生信号ＲＦを再生することが可能となる。
【００９５】
（実施の形態３）
図１５は、本発明の実施の形態３における光ディスク情報装置の構成を示す概略図であり、図１６は、本発明の実施の形態３における光ディスク情報装置の分割素子の分割構成を示す模式図である。
【００９６】
図１５において、図１と同じ構成要素については、同じ符号を用い、説明を省略する。
【００９７】
図１５において、図１と異なる点は、分割素子６に替えて分割素子２６を用いている点である。分割素子２６は、ガラス面上に微細な溝が形成されて回折格子として動作するように製作された回折素子である。図１６に示すように、分割素子２６は、光ディスク２のラジアル方向Ｒに対応した方向に３分割されて、２つの端部領域２６ｒ、２６ｌは、ラジアル方向Ｒと平行な境界線で上下をカットされている。したがって、分割素子２６は、中央に位置する略Ｈ字形状（光ディスク２のタンジェンシャル方向Ｔを水平方向として見た形状）の中央部領域１６ｃと、中央部領域１６ｃを挟む矩形形状（３辺が直線で１辺が円弧からなる略長方形）の２つの端部領域２６ｒ、２６ｌとを有している。
【００９８】
各々の領域を透過した光ビームは、各領域の回折格子により異なる方向に分離される。
【００９９】
分割素子２６が３分割素子であるので、図１と同様に光検出器７は、３つの受光部７ｃ、７ｒ、７ｌを具備しており、利得制御器８も、３種類の増幅器８ｃ、８ｒ、８ｌを制御し、各々にゲインＫｃ、Ｋｒ、Ｋｌを与える。
【０１００】
上記のように、本実施の形態では、分割素子２６を図１６に示すようなパターンで３分割したことにより、隣接トラックからのクロストークが集中する部位に絞ってクロストークの補正を行うので、隣接トラックからのクロストークをより詳細に補正することができる。
【０１０１】
したがって、図１の光ディスク情報装置と同様の効果が得られることに加えて、加算器９から出力される情報信号では、より詳細にクロストークが抑制されてエラーレートがより低減されているので、再生信号処理部１０は、より高精度な再生信号ＲＦを再生することが可能となる。
【０１０２】
なお、本実施の形態において、分割素子６に替えて使用可能な分割素子としては、分割素子２６に特に限定されず、例えば、以下の分割素子を用いることもできる。図１７は、本発明の実施の形態３における光ディスク情報装置に用いられる他の分割素子の分割構成を示す模式図である。
【０１０３】
図１７に示すように、分割素子２７は、光ディスク２のラジアル方向Ｒに対応した方向に７分割され、中央に位置する第１の中央部領域２７ｃと、第１の中央部領域２７ｃを挟む２つの第１の端部領域２７ｒ２、２７ｌ２と、２つの第１の端部領域２７ｒ２、２７ｌ２を挟む２つの第２の中央部領域２７ｒｃ、２７ｌｃと、２つの第２の中央部領域２７ｒｃ、２７ｌｃを挟む２つの第２の端部領域２７ｒ１、２７ｌ１とを有する。
【０１０４】
各々の領域を透過した光ビームは、各領域の回折格子により異なる方向に分離される。受光部７ｃは、第１及び第２の中央部領域２７ｃ、２７ｒｃ、２７ｌｃの３つの光ビームを受光し、受光した３つの光ビームの光量に応じた光量信号を出力し、受光部７ｒは、第１及び第２の端部領域２７ｒ２、２７ｒ１の２つの光ビームを受光し、受光した２つの光ビームの光量に応じた光量信号を出力し、受光部７ｌは、第１及び第２の端部領域２７ｌ２、２７ｌ１の２つの光ビームを受光し、受光した２つの光ビームの光量に応じた光量信号を出力する。
【０１０５】
本実施の形態では、分割素子２７のラジアル方向Ｒにおける幅ｗは、第１の中央部領域２７ｃの幅と、２つの第１の端部領域２７ｒ２、２７ｌ２の幅とを加算した値であり、幅ｘは、第１の端部領域２７ｒ２の幅と第２の中央部領域２７ｒｃの幅とを加算した値であり、第１の端部領域２７ｌ２の幅と第２の中央部領域２７ｌｃの幅とを加算した値と等しい。
【０１０６】
また、分割素子２７は、タンジェンシャル方向Ｔの軸を中心軸として左右対称に分割されるとともに、第１の端部領域２７ｒ２の幅と、第２の中央部領域２７ｒｃの幅とは等しく、第１の端部領域２７ｌ２の幅と、第２の中央部領域２７ｌｃの幅とは等しい。したがって、分割素子２７のラジアル方向Ｒにおける幅ｗは、第１の中央部領域２７ｃの幅と、２つの第２の中央部領域２７ｒｃ、２７ｌｃの幅とを加算した値であり、中央部領域の幅となる。
【０１０７】
上記のように、分割素子２７が各領域に分割されている場合、光ビームの直径を１００％として、分割素子２７の幅ｗは、３５％以上５５％以下の範囲が好ましく、幅ｘは、１０％±５％の範囲が好ましい。なお、上記の分割領域（第１の中央部領域２７ｃ、２つの第１の端部領域２７ｒ２、２７ｌ２、２つの第２の中央部領域２７ｒｃ、２７ｌｃ、及び２つの第２の端部領域２７ｒ１、２７ｌ１）の幅は、条件によって、適宜最適な値とすることは可能である。
【０１０８】
上記のように、本例では、分割素子２７を図１７に示すようなパターンで７分割したことにより、隣接トラックからのクロストークをより詳細に補正することができる。
【０１０９】
図１８は、本発明の実施の形態３における光ディスク情報装置に用いられるさらに他の分割素子の分割構成を示す模式図である。
【０１１０】
図１８に示すように、分割素子２８は、光ディスク２のラジアル方向Ｒに対応した方向に３分割され、中央に位置する略十字形状の中央部領域２８ｃと、中央部領域２８ｃを挟む２つの略Ｃ字形状の端部領域２８ｒ、２８ｌ（但し、図１８では、端部領域２８ｒは略逆Ｃ字形状）とを有し、中央部領域２８ｃは、両側に矩形の凸部２８ｔを有し、端部領域２８ｒ、２８ｌは、中央部領域２８ｃの凸部２８ｔに係合する凹部を有している。
【０１１１】
各々の領域を透過した光ビームは、各領域の回折格子により異なる方向に分離される。受光部７ｃは、中央部領域２８ｃの光ビームを受光し、受光した光ビームの光量に応じた光量信号を出力し、受光部７ｒは、端部領域２８ｒの光ビームを受光し、受光した光ビームの光量に応じた光量信号を出力し、受光部７ｌは、端部領域２８ｌの光ビームを受光し、受光した光ビームの光量に応じた光量信号を出力する。
【０１１２】
本実施の形態では、分割素子２８のラジアル方向Ｒにおける幅ｗは、中央部領域２８ｃの２つの凸部２８ｔのタンジェンシャル方向Ｔに平行な中心軸間の幅であり、幅ｘは、中央部領域２８ｃの凸部２８ｔのラジアル方向Ｒの幅であり、幅ｙは、中央部領域２８ｃの凸部２８ｔのタンジェンシャル方向Ｔの幅である。また、分割素子２８は、タンジェンシャル方向Ｔの軸を中心軸として左右対称に分割されており、２つの凸部２８ｔを含む中央部領域２８ｃのラジアル方向Ｒにおける幅は、幅ｗと幅ｘとを加算した値となり、分割素子２８のラジアル方向Ｒにおける幅ｗは、中央部領域２８ｃの実質的な幅となる。
【０１１３】
上記のように、分割素子２８が各領域に分割されている場合、光ビームの直径を１００％として、分割素子２８の幅ｗは、４５％以上６０％以下の範囲が好ましく、幅ｘは、１０％±５％の範囲が好ましく、幅ｙは、３５％±５％の範囲が好ましい。なお、上記の分割領域（中央部領域２８ｃ、２つの端部領域２８ｒ、２８ｌ）における各幅は、条件によって、適宜最適な値とすることは可能である。
【０１１４】
上記のように、本例では、分割素子２８を図１８に示すようなパターンで３分割したことにより、隣接トラックからのクロストークが集中する部位に応じてクロストークの補正を行うので、隣接トラックからのクロストークをより詳細に補正することができる。
【０１１５】
図１９は、本発明の実施の形態３における光ディスク情報装置に用いられるさらに他の分割素子の分割構成を示す模式図である。
【０１１６】
図１９に示すように、分割素子２９は、光ディスク２のラジアル方向Ｒに対応した方向に３分割され、中央に位置する略Ｈ字形状（光ディスク２のタンジェンシャル方向Ｔを水平方向として見た形状）の中央部領域２９ｃと、中央部領域２９ｃを挟む略Ｔ字形状の２つの端部領域２９ｒ、２９ｌ（図１９を時計回りに９０度回転させ、光ディスク２のタンジェンシャル方向Ｔを水平方向として見た場合、端部領域２９ｌは略Ｔ字形状、端部領域２９ｒは略逆Ｔ字形状）とを有し、中央部領域２９ｃは、ラジアル方向Ｒの軸上の両側に凹部を有し、端部領域２９ｒ、２９ｌは、中央部領域２９ｃの凹部に係合する矩形の凸部２９ｒｔ、２９ｌｔを有している。
【０１１７】
各々の領域を透過した光ビームは、各領域の回折格子により異なる方向に分離される。受光部７ｃは、中央部領域２９ｃの光ビームを受光し、受光した光ビームの光量に応じた光量信号を出力し、受光部７ｒは、端部領域２９ｒの光ビームを受光し、受光した光ビームの光量に応じた光量信号を出力し、受光部７ｌは、端部領域２９ｌの光ビームを受光し、受光した光ビームの光量に応じた光量信号を出力する。
【０１１８】
本実施の形態では、分割素子２９のラジアル方向Ｒにおける幅ｗは、端部領域２９ｒ、２９ｌの凸部２９ｒｔ、２９ｌｔのタンジェンシャル方向Ｔに平行な中心軸間の幅であり、幅ｘは、端部領域２９ｒ、２９ｌの凸部２９ｒｔ、２９ｌｔ（中央部領域２９ｃの凹部）のラジアル方向Ｒの幅であり、幅ｙは、端部領域２９ｒ、２９ｌの凸部２９ｒｔ、２９ｌｔ（中央部領域２９ｃの凸部）のタンジェンシャル方向Ｔの幅である。また、分割素子２９は、タンジェンシャル方向Ｔの軸を中心軸として左右対称に分割されており、中央部領域２９ｃのラジアル方向Ｒの軸上の幅は、幅ｗから幅ｘを減算した値となり、分割素子２９のラジアル方向Ｒにおける幅ｗは、中央部領域２９ｃの実質的な幅となる。
【０１１９】
上記のように、分割素子２９が各領域に分割されている場合、光ビームの直径を１００％として、分割素子２９の幅ｗは、４５％以上６０％以下の範囲が好ましく、幅ｘは、１０％±５％の範囲が好ましく、幅ｙは、３５％±５％の範囲が好ましい。なお、上記の分割領域（中央部領域２９ｃ、２つの端部領域２９ｒ、２９ｌ）における各幅は、条件によって、適宜最適な値とすることは可能である。
【０１２０】
上記のように、本例では、分割素子２９を図１９に示すようなパターンで３分割したことにより、隣接トラックからのクロストークが集中する部位に応じてクロストークの補正を行うので、隣接トラックからのクロストークをより詳細に補正することができる。
【０１２１】
（実施の形態４）
図２０は、本発明の実施の形態４における光ディスク情報装置の構成を示す概略図であり、図２１は、本発明の実施の形態４における光ディスク情報装置の分割素子の分割構成を示す模式図である。
【０１２２】
図２０において、図１と同じ構成要素については同じ符号を用い、説明を省略する。
【０１２３】
図２０において、図１と異なる点は、分割素子６、光検出器７、利得制御器８、増幅器８ｃ、８ｒ、８ｌ及び加算器９に替えて、分割素子３６、光検出器３７、利得制御器３８、増幅器３８ｃ、３８ｒ、３８ｄ、３８ｕ、３８ｌ及び加算器３９を用いている点である。
【０１２４】
分割素子３６は、ガラス面上に微細な溝が形成されて回折格子として動作するように製作された回折素子である。図２１に示すように、分割素子３６は、光ディスク２のラジアル方向Ｒに対応した方向に３分割され、中央部領域（中心部領域３６ｃ及び２つの端部領域３６ｕ、３６ｄ）と、中央部領域を挟む２つの端部領域３６ｒ、３６ｌとに分けられており、且つ中央部領域がタンジェンシャル方向Ｔに沿って３分割され、中心部領域３６ｃと、中心部領域３６ｃを挟む上下２つの端部領域３６ｕ、３６ｄとに分けられて、全部で５分割されている。
【０１２５】
すなわち、分割素子３６は、光ディスク２のラジアル方向Ｒに対応した方向に３分割され、中央部領域と、２つの端部領域３６ｒ、３６ｌとを有し、中央部領域は、光ディスクのタンジェンシャル方向Ｔに対応した方向に３分割され、中心部領域３６ｃと、中心部領域３６ｃを上下に挟む２つの端部領域３６ｕ、３６ｄとを有している。
【０１２６】
各々の領域を透過した光ビームは各領域の回折格子により異なる方向に分離される。
【０１２７】
分割素子３６が５分割素子であることに合わせて、光検出器３７も、５つの受光部３７ｒ、３７ｄ、３７ｃ、３７ｕ、３７ｌを具備しており、利得制御器３８も、５種類の増幅器３８ｒ、３８ｄ、３８ｃ、３８ｕ、３８ｌを制御し、各々にゲインＫｒ、Ｋｄ、Ｋｃ、Ｋｕ、Ｋｌのゲインを与える。また、加算器３９は、最適なゲインＫｒ、Ｋｄ、Ｋｃ、Ｋｕ、Ｋｌで増幅された光量信号を加算して情報信号を再生信号処理部１０へ出力する。
【０１２８】
上記のように、光検出器３７は、中心部領域３６ｃの光ビームを受光する受光部３７ｃと、４つの端部領域３６ｒ、３６ｄ、３６ｕ、３６ｌの光ビームを受光する４つの受光部３７ｒ、３７ｄ、３７ｕ、３７ｌとを有し、受光した各光ビームの光量に応じた光量信号を出力する。増幅器３８ｃは、受光部３７ｃからの光量信号を受けてゲインＫｃで増幅した中央部増幅信号を出力し、増幅器３８ｒ、３８ｌは、受光部３７ｒ、３８ｌからの光量信号を受けてゲインＫｒ、Ｋｌで増幅した端部増幅信号を出力し、増幅器３８ｄ、３８ｕは、受光部３７ｄ、３７ｕからの光量信号を受けてゲインＫｄ、Ｋｕで増幅した中央端部増幅信号を出力する。
【０１２９】
加算器３９は、増幅器３８ｒ、３８ｄ、３８ｃ、３８ｕ、３８ｌからの増幅信号を加算して情報信号を出力し、利得制御器３８は、トラッキング制御信号の極性が反転されたときに、増幅器３８ｒ、３８ｄ、３８ｃ、３８ｕ、３８ｌのゲインＫｒ、Ｋｄ、Ｋｃ、Ｋｕ、Ｋｌを切替えるとともに、光ディスク２の隣接トラックからのクロストークが低減するように、増幅器３８ｃのゲインＫｃを増幅器３８ｒ、３８ｄ、３８ｕ、３８ｌのゲインＫｒ、Ｋｄ、Ｋｕ、Ｋｌのうち少なくとも一つのゲインより実質的に低く設定する。
【０１３０】
上記のように、本実施の形態では、分割素子３６を図１６に示すようなパターンで５分割したことにより、隣接トラックからのクロストークが集中する部位に絞ってクロストークの補正を行うので、隣接トラックからのクロストークをより詳細に補正することができる。
【０１３１】
したがって、図１の光ディスク情報装置と同様の効果が得られることに加えて、加算器３９から出力される情報信号では、より詳細にクロストークが抑制されてエラーレートがより低減されているので、再生信号処理部１０は、より高精度な再生信号ＲＦを再生することが可能となる。
【０１３２】
（実施の形態５）
本実施の形態は、上記の各実施の形態のうちのいずれかに係る光ディスク情報装置６０７を具備した情報処理装置の一例であるコンピュータ装置の実施の形態である。図２２は、本実施の形態に係るコンピュータの斜視図である。
【０１３３】
図２２に示すコンピュータ６０９は、上記の各実施の形態のうちのいずれかに係る光ディスク情報装置６０７と、情報の入力を行うためのキーボード６１１及びマウス６１２などの入力装置と、入力装置から入力された情報や、光ディスク情報装置６０７から読み出した情報などに基づいて演算を行うＣＰＵ（中央処理装置）などの演算装置６０８と、演算装置６０８によって演算された結果の情報を表示するブラウン管や、液晶表示装置などの出力装置６１０とを備えている。ここで、演算装置６０８は、光ディスク情報装置６０７に記録する情報及び／又は光ディスク情報装置６０７から再生された情報を処理する情報処理部として機能する。
【０１３４】
本実施の形態に係るコンピュータ６０９は、上記の各実施の形態のうちのいずれかに係る光ディスク情報装置６０７を具備しており、現実的なトラッキングエラー信号が得られる系でクロストークを低減し、トラック方向の記録密度を高めることができるので、安定な高密度記録再生の実現とコストダウンとを可能とすることができ、広い用途に使用できる。
【０１３５】
また、コンピュータ６０９は、光ディスク情報装置６０７に記録する情報を取り込んだり、光ディスク情報装置６０７によって読み出した情報を外部に出力する有線又は無線の入出力端子を搭載してもよい。これによって、ネットワーク、すなわち、複数の機器、例えば、コンピュータ、電話器、テレビチューナなどと情報をやり取りし、これら複数の機器から共有の情報サーバ（光ディスクサーバ）として利用することが可能となる。この場合、異なる種類の光ディスクを安定に記録あるいは再生できるので、広い用途に使用できる効果を有するものとなる。
【０１３６】
さらに、複数の光ディスクを光ディスク情報装置６０７に出し入れするチェンジャーを具備することにより、多くの情報を記録及び蓄積できる効果を得ることができる。
【０１３７】
（実施の形態６）
本実施の形態は、上記の各実施の形態のうちのいずれかに係る光ディスク情報装置６０７を具備した情報処理装置の一例である光ディスクプレーヤの実施の形態である。図２３は、本実施の形態に係る光ディスクプレーヤの斜視図である。 
【０１３８】
図２３に示す光ディスクプレーヤ１８０は、上記の各実施の形態のうちのいずれかに係る光ディスク情報装置６０７と、光ディスク情報装置６０７から得られる情報信号を画像に変換する、情報から画像への変換装置、例えば、デコーダ１８１とを備えている。ここで、デコーダ１８１は、光ディスク情報装置６０７に記録する情報及び／又は光ディスク情報装置６０７から再生された情報を処理する情報処理部として機能する。また、本構成は、カーナビゲーションシステムとしても利用できる。また、液晶モニターなどの表示装置１８２を加えた構成としてもよい。
【０１３９】
本実施の形態に係る光ディスクプレーヤ１８０は、上記の各実施の形態のうちのいずれかに係る光ディスク情報装置６０７を具備しており、現実的なトラッキングエラー信号が得られる系でクロストークを低減し、トラック方向の記録密度を高めることができるので、安定な高密度記録再生の実現とコストダウンとを可能とすることができ、広い用途に使用できる。
【０１４０】
（実施の形態７）
本実施の形態は、上記の各実施の形態のうちのいずれかに係る光ディスク情報装置６０７を具備した情報処理装置の一例である光ディスクレコーダの実施の形態である。図２４は、本実施の形態に係る光ディスクレコーダの斜視図である。
【０１４１】
図２４に示す光ディスクレコーダ６１５は、上記の各実施の形態のうちのいずれかに係る光ディスク情報装置６０７と、画像信号を、光ディスク情報装置６０７によって光ディスクへ記録する情報信号に変換する記録信号処理回路６１３とを備えている。
【０１４２】
光ディスクレコーダ６１５は、光ディスク情報装置６０７から得られる情報信号を、画像信号に変換する再生信号処理回路６１４も有することが望ましい。この構成によれば、既に記録した部分を再生することも可能となる。更に、情報を表示するブラウン管、液晶表示装置などの出力装置６１０を備えてもよい。
【０１４３】
本実施の形態では、記録信号処理回路６１３及び／又は再生信号処理回路６１４は、光ディスク情報装置６０７に記録する情報及び／又は光ディスク情報装置６０７から再生された情報を処理する情報処理部として機能する。
【０１４４】
本実施の形態に係る光ディスクレコーダ６１５は、上記の各実施の形態のうちのいずれかに係る光ディスク情報装置６０７を具備しており、現実的なトラッキングエラー信号が得られる系でクロストークを低減し、トラック方向の記録密度を高めることができるので、安定な高密度記録再生の実現とコストダウンとを可能とすることができ、広い用途に使用できる。
【０１４５】
上記の各実施の形態から本発明の各態様について説明すると、以下のようになる。すなわち、本発明の一態様に係る光ディスク情報装置は、溝状のトラックを有し、溝のランド部及びグルーブ部に情報を記録可能な光ディスクに対して情報を再生及び／又は記録する光ディスク情報装置であって、波長λの光束を出射するレーザー光源と、前記レーザー光源から出射された光束を集光して前記光ディスク上に集光スポットを形成する開口数ＮＡの対物レンズと、中央部領域と、前記中央部領域を挟む少なくとも２つの端部領域とを有し、前記光ディスクで反射回折した反射光を前記中央部領域の光束及び前記端部領域の光束に分割する分割素子と、前記中央部領域の光束を受光する中央部受光部と、前記端部領域の光束を受光する少なくとも２つの端部受光部とを有し、受光した各光束の光量に応じた光量信号を出力する光検出器と、前記中央部受光部からの光量信号を受けて所定のゲインで増幅された中央部増幅信号を出力する中央部増幅器と、前記端部受光部からの光量信号を受けて所定のゲインで増幅された端部増幅信号を出力する少なくとも２つの端部増幅器と、前記中央部増幅器及び前記端部増幅器のゲインを制御する利得制御器と、前記中央部増幅器からの中央部増幅信号及び前記端部増幅器からの端部増幅信号を加算して情報信号を出力する加算器と、前記情報信号を処理して再生信号を出力する再生信号処理部と、前記光ディスクで反射回折した反射光を受光してフォーカシング制御信号及びトラッキング制御信号を作成する制御信号処理部とを備え、前記制御信号処理部は、前記集光スポットが走査するトラックが前記ランド部であるか又は前記グルーブ部であるかに応じて前記トラッキング制御信号の極性を反転するトラッキング切替器を含み、前記利得制御器は、前記トラッキング制御信号の極性が反転されたときに、前記中央部増幅器及び前記端部増幅器のゲインを切替えるとともに、前記光ディスクの隣接トラックからのクロストークが低減するように、前記中央部増幅器のゲインを前記端部増幅器の少なくとも一つのゲインより実質的に低く設定し、前記光ディスクの溝間隔をＧｐとしたとき、（Ｇｐ／２）＜（１．２・λ）／（２・ＮＡ）を満たす。
【０１４６】
この光ディスク情報装置によれば、溝間隔Ｇｐが（Ｇｐ／２）＜（１．２・λ）／（２・ＮＡ）を満たす溝状のトラックを有し、溝のランド部とグルーブ部とに情報を記録可能な光ディスクで反射回折した反射光が、分割素子によって、中央部領域の光束と、中央部領域を挟む少なくとも２つの端部領域の光束とに分割され、分割された各々の光束を受光した光検出器からの光量信号を所定のゲインで増幅した中央部増幅信号及び端部増幅信号を加算し、加算した増幅信号を情報信号として出力する。このとき、集光スポットが走査するトラックが光ディスクのランド部であるか又はグルーブ部であるかに応じて、トラッキング制御信号の極性が反転されると同時に、分割された各々の光束による光量信号に与えるゲインが切替えられる。
【０１４７】
ここで、溝のランド部とグルーブ部とに情報を記録可能な光ディスクを用いているので、トラックピッチＴｐを溝間隔Ｇｐの１／２の大きさにすることができ、このトラックピッチＴｐを光ビームの回折限界を下回るトラックピッチに設定しても、十分なトラッキングエラー信号を得ることができる。
【０１４８】
また、ランド部とグルーブ部とでは反射率が異なり、反射する光ビームの位相も異なるので、走査トラックがランド部であるか又はグルーブ部であるかによって、走査トラックと隣接トラックとの関係が反転し、クロストークキャンセラの効果がなくなってしまうが、トラッキング制御信号の極性の切替のタイミングを得ることによって、ランド部とグルーブ部との切替わりに合わせて、利得制御器が設定する中央部増幅器及び端部増幅器のゲインの組合せを切り替えることが可能になる。
【０１４９】
したがって、光ビームの回折限界以下の狭トラックピッチＴｐに高密度化された光ディスクに対して安定したトラッキング制御を行うことができ、且つ隣接トラックからの信号の漏れ込みを抑制し、エラーレートを低減することができるので、高精度な情報信号の記録再生を実現することができる。
【０１５０】
この結果、現実的なトラッキングエラー信号が得られる系でクロストークを低減し、トラック方向の記録密度を高めることを可能とする光ディスク情報装置を実現することができる。
【０１５１】
前記分割素子は、前記光ディスクのラジアル方向に対応した方向に３分割され、前記中央部領域と、２つの前記端部領域とを有することが好ましい。
【０１５２】
この場合、隣接トラックからのクロストークが抑制されてエラーレートが低減され、高精度な再生信号を再生することができる。
【０１５３】
前記分割素子は、前記光ディスクのラジアル方向に対応した方向に７分割され、前記分割素子の中央に位置する第１の中央部領域と、前記第１の中央部領域を挟む２つの第１の端部領域と、前記２つの第１の端部領域を挟む２つの第２の中央部領域と、前記２つの第２の中央部領域を挟む２つの第２の端部領域とを有し、前記中央部受光部は、前記第１及び第２の中央部領域の３つの光束を受光し、受光した３つの光束の光量に応じた光量信号を出力し、前記端部受光部の一方は、前記第１及び第２の端部領域の一方側の２つの光束を受光し、受光した２つの光束の光量に応じた光量信号を出力し、前記端部受光部の他方は、前記第１及び第２の端部領域の他方側の２つの光束を受光し、受光した２つの光束の光量に応じた光量信号を出力するようにしてもよい。
【０１５４】
この場合、分割素子が上記のパターンで７分割されているので、隣接トラックからのクロストークをより詳細に補正することができる。
【０１５５】
前記分割素子は、前記光ディスクのラジアル方向に対応した方向に３分割され、前記分割素子の中央に位置する略十字形状の中央部領域と、前記中央部領域を挟む略Ｃ字形状の２つの端部領域とを有するようにしてもよい。
【０１５６】
この場合、分割素子が上記のパターンで３分割され、隣接トラックからのクロストークが集中する部位に応じてクロストークの補正を行うので、隣接トラックからのクロストークをより詳細に補正することができる。
【０１５７】
前記分割素子は、前記光ディスクのラジアル方向に対応した方向に３分割され、前記分割素子の中央に位置する略Ｈ字形状の中央部領域と、前記中央部領域を挟む略Ｔ字形状の２つの端部領域とを有するようにしてもよい。
【０１５８】
この場合、分割素子が上記のパターンで３分割され、隣接トラックからのクロストークが集中する部位に応じてクロストークの補正を行うので、隣接トラックからのクロストークをより詳細に補正することができる。
【０１５９】
前記分割素子は、前記光ディスクのラジアル方向に対応した方向に３分割され、前記中央部領域と２つの前記端部領域とを有し、前記中央部領域は、前記光ディスクのタンジェンシャル方向に対応した方向に３分割され、中心部領域と、前記中心部領域を挟む２つの中央端部領域とを有し、前記光検出器は、前記中心部領域の光束を受光する中心部受光部と、前記２つの中央端部領域の光束を受光する２つの中央端部受光部と、前記２つの端部領域の光束を受光する２つの端部受光部とを有し、受光した各光束の光量に応じた光量信号を出力し、前記中央部増幅器は、前記中心部受光部からの光量信号を受けて所定のゲインで増幅された中央部増幅信号を出力し、前記端部増幅器は、前記２つの端部受光部からの光量信号を受けて所定のゲインで増幅された端部増幅信号を出力する２つの第１の端部増幅器と、前記２つの中央端部受光部からの光量信号を受けて所定のゲインで増幅された中央端部増幅信号を出力する２つの第２の端部増幅器とを含み、前記加算器は、前記中央部増幅器、前記第１及び第２の端部増幅器からの増幅信号を加算して情報信号を出力し、前記利得制御器は、前記トラッキング制御信号の極性が反転されたときに、前記中央部増幅器、前記第１及び第２の端部増幅器のゲインを切替えるとともに、前記光ディスクの隣接トラックからのクロストークが低減するように、前記中央部増幅器のゲインを前記第１及び第２の端部増幅器の少なくとも一つのゲインより実質的に低く設定するようにしてもよい。
【０１６０】
この場合、分割素子が上記のパターンで５分割され、隣接トラックからのクロストークが集中する部位に絞ってクロストークの補正を行うので、隣接トラックからのクロストークをより詳細に補正することができる。
【０１６１】
前記分割素子の前記中央部領域の前記光ディスクのラジアル方向に対応した方向の幅は、光束の幅の３５％以上であることが好ましい。
【０１６２】
この場合、光ディスクの隣接トラックからのクロストークを十分に低減することができるとともに、十分良好な再生信号の品質を得ることができる。
【０１６３】
前記利得制御器は、前記集光スポットが走査するトラックが前記ランド部であるか又は前記グルーブ部であるかに応じて前記中央部増幅器及び前記端部増幅器に異なるゲインを設定することが好ましい。
【０１６４】
この場合、ランド部とグルーブ部との切替わりに合わせて、中央部増幅器及び端部増幅器のゲインの組合せを切り替えることができるので、ランド部及びグルーブ部の光学特性に応じて隣接トラックからのクロストークが抑制されてエラーレートが低減され、高精度な再生信号を再生することができる。
【０１６５】
前記利得制御器は、互いに異なるランド部用ゲイン初期値及びグルーブ部用ゲイン初期値を予め記憶しており、前記トラッキング制御信号の極性が反転されたときに、前記集光スポットが走査するトラックが前記ランド部である場合は、前記中央部増幅器及び前記端部増幅器に前記ランド部用ゲイン初期値を設定し、前記集光スポットが走査するトラックが前記グルーブ部である場合は、前記中央部増幅器及び前記端部増幅器に前記グルーブ部用ゲイン初期値を設定することが好ましい。
【０１６６】
この場合、ランド部及びグルーブ部の光学特性に応じたランド部用ゲイン初期値及びグルーブ部用ゲイン初期値を設定することができるので、短時間で隣接トラックからのクロストークが抑制されてエラーレートが低減され、高精度な再生信号を瞬時に得ることができる。
【０１６７】
前記利得制御器は、前記光ディスクのトラックピッチに応じて前記中央部増幅器及び前記端部増幅器に異なるゲインを設定することが好ましい。
【０１６８】
この場合、光ディスクのトラックピッチに応じて中央部増幅器及び端部増幅器のゲインの組合せを切り替えることにより、異なる溝間隔の光ディスクを用いる場合でも、隣接トラックからのクロストークが抑制されてエラーレートが低減され、高精度な再生信号を再生することができる。
【０１６９】
前記再生信号処理部は、前記再生信号の評価値を生成し、前記利得制御器は、前記再生信号の評価値に応じて前記中央部増幅器及び前記端部増幅器のゲインを設定することが好ましい。
【０１７０】
この場合、再生信号の評価値に応じて中央部増幅器及び端部増幅器のゲインを設定することができるので、隣接トラックからのクロストークが抑制されてエラーレートが低減され、高精度な再生信号を再生することができる。
【０１７１】
前記光ディスク情報装置は、前記光ディスクのラジアル方向のチルト量を検出するチルト検出器をさらに備え、前記利得制御器は、前記チルト検出器に検出されたチルト量に応じて前記中央部増幅器及び前記端部増幅器のゲインを設定することが好ましい。
【０１７２】
この場合、光ディスクのラジアル方向のチルト量に応じて中央部増幅器及び端部増幅器のゲインを設定することができるので、光ディスクが傾斜している場合でも、隣接トラックからのクロストークが抑制されてエラーレートが低減され、高精度な再生信号を再生することができる。
【０１７３】
前記制御信号処理部は、前記光ディスクのトラックに対する集光スポットのオフトラック量を検出し、前記利得制御器は、前記オフトラック量に応じて前記中央部増幅器及び前記端部増幅器のゲインを設定することが好ましい。
【０１７４】
この場合、集光スポットのオフトラック量に応じて中央部増幅器及び端部増幅器のゲインを設定することができるので、集光スポットのオフトラックが発生している場合でも、隣接トラックからのクロストークが抑制されてエラーレートが低減され、高精度な再生信号を再生することができる。
【０１７５】
前記光ディスク情報装置は、前記光ディスクのトラックに対する前記対物レンズのレンズシフト量を検出するレンズシフト検出器をさらに備え、前記利得制御器は、前記レンズシフト検出器に検出されたレンズシフト量に応じて前記中央部増幅器及び前記端部増幅器のゲインを設定することが好ましい。
【０１７６】
この場合、対物レンズのレンズシフト量に応じて中央部増幅器及び端部増幅器のゲインを設定することができるので、対物レンズのレンズシフトが発生している場合でも、隣接トラックからのクロストークが抑制されてエラーレートが低減され、高精度な再生信号を再生することができる。
【０１７７】
本発明の他の態様に係る情報処理装置は、上記いずれかの光ディスク情報装置と、前記光ディスク情報装置に記録する情報及び／又は前記光ディスク情報装置から再生された情報を処理する情報処理部とを備える。
【０１７８】
この情報処理装置によれば、現実的なトラッキングエラー信号が得られる系でクロストークを低減し、トラック方向の記録密度を高めることができるので、安定な高密度記録再生の実現とコストダウンとが可能となり、広い用途に使用できる。
【産業上の利用可能性】
【０１７９】
本発明にかかる光ディスク情報装置は、トラックピッチを縮小して高密度化された光ディスクを安定して記録再生することが可能となる。【０１８０】
よって、この応用機器である、大容量の光ディスク情報装置を有するコンピュータ、サーバ、光ディスクプレーヤ及び光ディスクレコーダ等の情報処理装置に利用することができる。
【図１】
2013179673.tif 000003
【図２】
2013179673.tif 000004
【図３】
2013179673.tif 000005
【図４】
2013179673.tif 000006
【図５】
2013179673.tif 000007
【図６】
2013179673.tif 000008
【図７】
2013179673.tif 000009
【図８】
2013179673.tif 000010
【図９】
2013179673.tif 000011
【図１０】
2013179673.tif 000012
【図１１】
2013179673.tif 000013
【図１２】
2013179673.tif 000014
【図１３】
2013179673.tif 000015
【図１４】
2013179673.tif 000016
【図１５】
2013179673.tif 000017
【図１６】
2013179673.tif 000018
【図１７】
2013179673.tif 000019
【図１８】
2013179673.tif 000020
【図１９】
2013179673.tif 000021
【図２０】
2013179673.tif 000022
【図２１】
2013179673.tif 000023
【図２２】
2013179673.tif 000024
【図２３】
2013179673.tif 000025
【図２４】
2013179673.tif 000026
【手続補正書】
【提出日】平成26年11月14日(2014.11.14)
【手続補正１】
【補正対象書類名】特許請求の範囲
【補正対象項目名】全文
【補正方法】変更
【補正の内容】
【特許請求の範囲】
【請求項１】
溝状のトラックを有し、溝のランド部及びグルーブ部に情報を記録可能な光ディスクに対して情報を再生及び／又は記録する光ディスク情報装置であって、
波長λの光束を出射するレーザー光源と、
前記レーザー光源から出射された光束を集光して前記光ディスク上に集光スポットを形成する開口数ＮＡの対物レンズと、
中央部領域と、前記中央部領域を挟む少なくとも２つの端部領域とを有し、前記光ディスクで反射回折した反射光を前記中央部領域の光束及び前記端部領域の光束に分割する分割素子と、
前記中央部領域の光束を受光する中央部受光部と、前記端部領域の光束を受光する少なくとも２つの端部受光部とを有し、受光した各光束の光量に応じた光量信号を出力する光検出器と、
前記中央部受光部からの光量信号を受けて所定のゲインで増幅された中央部増幅信号を出力する中央部増幅器と、
前記端部受光部からの光量信号を受けて所定のゲインで増幅された端部増幅信号を出力する少なくとも２つの端部増幅器と、
前記中央部増幅器及び前記端部増幅器のゲインを制御する利得制御器と、
前記中央部増幅器からの中央部増幅信号及び前記端部増幅器からの端部増幅信号を加算して情報信号を出力する加算器と、
前記情報信号を処理して再生信号を出力する再生信号処理部と、
前記光ディスクで反射回折した反射光を受光してフォーカシング制御信号及びトラッキング制御信号を作成する制御信号処理部とを備え、
前記制御信号処理部は、前記集光スポットが走査するトラックが前記ランド部であるか又は前記グルーブ部であるかに応じて前記トラッキング制御信号の極性を反転するトラッキング切替器を含み、
前記利得制御器は、前記トラッキング制御信号の極性が反転されたときに、前記中央部増幅器及び前記端部増幅器のゲインを切替えるとともに、前記光ディスクの隣接トラックからのクロストークが低減するように、前記中央部増幅器のゲインを前記端部増幅器の少なくとも一つのゲインより実質的に低く設定し、
前記光ディスクの溝間隔をＧｐとしたとき、（Ｇｐ／２）＜（１．２・λ）／（２・ＮＡ）を満たし、
前記分割素子は、前記光ディスクのラジアル方向に対応した方向に３分割され、前記中央部領域と２つの前記端部領域とを有し、
前記中央部領域は、前記光ディスクのタンジェンシャル方向に対応した方向に３分割され、中心部領域と、前記中心部領域を挟む２つの中央端部領域とを有し、
前記光検出器は、前記中心部領域の光束を受光する中心部受光部と、前記２つの中央端部領域の光束を受光する２つの中央端部受光部と、前記２つの端部領域の光束を受光する２つの端部受光部とを有し、受光した各光束の光量に応じた光量信号を出力し、
前記中央部増幅器は、前記中心部受光部からの光量信号を受けて所定のゲインで増幅された中央部増幅信号を出力し、
前記端部増幅器は、
前記２つの端部受光部からの光量信号を受けて所定のゲインで増幅された端部増幅信号を出力する２つの第１の端部増幅器と、
前記２つの中央端部受光部からの光量信号を受けて所定のゲインで増幅された中央端部増幅信号を出力する２つの第２の端部増幅器とを含み、
前記加算器は、前記中央部増幅器、前記第１及び第２の端部増幅器からの増幅信号を加算して情報信号を出力し、
前記利得制御器は、前記トラッキング制御信号の極性が反転されたときに、前記中央部増幅器、前記第１及び第２の端部増幅器のゲインを切替えるとともに、前記光ディスクの隣接トラックからのクロストークが低減するように、前記中央部増幅器のゲインを前記第１及び第２の端部増幅器の少なくとも一つのゲインより実質的に低く設定することを特徴とする光ディスク情報装置。
【請求項２】
前記分割素子の前記中央部領域の前記光ディスクのラジアル方向に対応した方向の幅は、光束の幅の３５％以上であることを特徴とする請求項１に記載の光ディスク情報装置。
【請求項３】
前記利得制御器は、前記集光スポットが走査するトラックが前記ランド部であるか又は前記グルーブ部であるかに応じて前記中央部増幅器及び前記端部増幅器に異なるゲインを設定することを特徴とする請求項１又は２に記載の光ディスク情報装置。
【請求項４】
前記利得制御器は、互いに異なるランド部用ゲイン初期値及びグルーブ部用ゲイン初期値を予め記憶しており、前記トラッキング制御信号の極性が反転されたときに、前記集光スポットが走査するトラックが前記ランド部である場合は、前記中央部増幅器及び前記端部増幅器に前記ランド部用ゲイン初期値を設定し、前記集光スポットが走査するトラックが前記グルーブ部である場合は、前記中央部増幅器及び前記端部増幅器に前記グルーブ部用ゲイン初期値を設定することを特徴とする請求項１〜３のいずれかに記載の光ディスク情報装置。
【請求項５】
前記利得制御器は、前記光ディスクのトラックピッチに応じて前記中央部増幅器及び前記端部増幅器に異なるゲインを設定することを特徴とする請求項１〜４のいずれかに記載の光ディスク情報装置。
【請求項６】
前記再生信号処理部は、前記再生信号の評価値を生成し、
前記利得制御器は、前記再生信号の評価値に応じて前記中央部増幅器及び前記端部増幅器のゲインを設定することを特徴とする請求項１〜５のいずれかに記載の光ディスク情報装置。
【請求項７】
前記光ディスクのラジアル方向のチルト量を検出するチルト検出器をさらに備え、
前記利得制御器は、前記チルト検出器に検出されたチルト量に応じて前記中央部増幅器及び前記端部増幅器のゲインを設定することを特徴とする請求項１〜６のいずれかに記載の光ディスク情報装置。
【請求項８】
前記制御信号処理部は、前記光ディスクのトラックに対する集光スポットのオフトラック量を検出し、
前記利得制御器は、前記オフトラック量に応じて前記中央部増幅器及び前記端部増幅器のゲインを設定することを特徴とする請求項１〜７のいずれかに記載の光ディスク情報装置。
【請求項９】
前記光ディスクのトラックに対する前記対物レンズのレンズシフト量を検出するレンズシフト検出器をさらに備え、
前記利得制御器は、前記レンズシフト検出器に検出されたレンズシフト量に応じて前記中央部増幅器及び前記端部増幅器のゲインを設定することを特徴とする請求項１〜８のいずれかに記載の光ディスク情報装置。
【請求項１０】
請求項１〜９のいずれかに記載の光ディスク情報装置と、
前記光ディスク情報装置に記録する情報及び／又は前記光ディスク情報装置から再生された情報を処理する情報処理部とを備えることを特徴とする情報処理装置。
【国際調査報告】
2013179673.tif 000027
2013179673.tif 000028
2013179673.tif 000029
2013179673.tif 000030